(57)【要約】【課題】 一枚ずつを積層体から剥がそうとする使用開始時において、どちら側が粘着部で、どちら側から剥がせばよいかをわかりやすくすると同時に、記入後も付箋本体の美観を損なうことがなく、なおかつ、複数枚を貼着して使用する状態においても見栄えが良く、面白味のある付箋及びその使用方法を提供する。【解決手段】 鯉のぼりの鯉に見立てた形状からなる用紙の少なくとも表面に鯉の絵柄が施され、かつ、前記該形状と絵柄により鯉のぼりの鯉の頭部を表す側の、用紙裏面の一端部に再貼着再剥離可能な粘着部を設けてなる付箋とし、前記表面の絵柄の中に斑点模様に見立てるためにタスクの文字を記入して、垂直方向か、或いは、ほぼ垂直方向に伸びる面や物に胴体から尾びれは空間にはみ出すように貼着し、かつ、該付箋に色違いやサイズ違いの種類を設けて同様にして、それらを混ぜて複数枚を相互に重ならないように縦に並べて貼着して使用する。【選択図】 図６
2014217969.tif 000002
【特許請求の範囲】
【請求項１】
鯉のぼりの鯉をモチーフにした、やること（TO DO）を管理するための付箋であって、鯉のぼりの鯉に見立てた形状からなる用紙の少なくとも表面に鯉の絵柄が施され、かつ、前記用紙の該形状と絵柄により鯉のぼりの鯉の頭部を表す側の、用紙裏面の一端部に再貼着再剥離可能な粘着部を設けてなることを特徴とする付箋。
【請求項２】
請求項１記載の付箋において、前記用紙の表面に施された鯉の絵柄のうち、少なくとも胴体部分が淡色で構成されていることを特徴とする付箋。
【請求項３】
請求項１または２記載の付箋を使用する付箋の使用方法において、鯉の斑点模様に見立てるために、タスクの文字を模様の一部として前記用紙の表面に施された鯉の絵柄の中に記入するようになっていることを特徴とする付箋の使用方法。
【請求項４】
請求項３記載の付箋の使用方法において、前記用紙の該形状と絵柄により鯉のぼりの鯉の頭部を表す側の、用紙裏面の一端部に設けられた再貼着再剥離可能な粘着部により、垂直方向か、或いは、ほぼ垂直方向に伸びる面や物に、それら被貼着物を鯉のぼりのポールに見立てて、胴体から尾びれにかけては空間にはみ出すように貼着し、かつ、該付箋に色違いやサイズ違いの種類を設け、タスクを記入した状態のそれらを混ぜて複数枚を、まるで鯉のぼりの鯉が風になびいているかのように見えるが如きに、相互に重ならないように縦に並べて貼着して使用することを特徴とする付箋の使用方法。
【発明の詳細な説明】
【技術分野】
【０００１】
本発明は、やること（TO DO）を管理するための付箋及びその使用方法に関する。
【背景技術】
【０００２】
従来より、やること（TO DO）を管理するものとして、特許文献１のような短冊形状をなす用紙の長手方向一端側裏面に低粘着性の粘着部が設けられた付箋を複数枚積層し、これを付箋積層体の単位で色のバリエーションを設けて市販されている一般的な形態の付箋が使用されている。この付箋を利用する際には、１枚ずつを付箋積層体から剥がしてから、１枚の付箋につき１タスクを書いて、例えば、目につきやすいパソコンのモニタの横などに、いくつも貼っておき、済んだものを剥がしていくといった形で使用し、また、タスクの内容を把握しやすいようにタスクの種類ごとに付箋の色を使い分けるなどして使用している。
【先行技術文献】
【特許文献】
【０００３】
【特許文献１】特開２０１２−２１８４３３
【発明の開示】
【発明が解決しようとする課題】
【０００４】
しかしながら、この種の付箋は、やること（TODO）の管理において、例えば、パソコンのモニタの横にいくつも貼着して使用する場合に、複数の色の付箋を使用することでカラフルには見えるものの、デザイン的に面白味がないうえに、タスクの文字が、いかにもメモ書きの印象を与えるほど装飾性にも乏しく、また、複数枚を貼着した状態においては、デザイン的に被貼着物との関連性もないため、見た目の印象は、ただいくつも貼ってあるだけにしか見えず、見栄えがよいとは言い難い問題がある。また、特許文献１のような付箋の形状は、使用方法と関連づけたりしているものでもなく、特徴のないシンプルすぎる形状であるがゆえに、使用開始時に、どちら側が粘着部になっていて、どちら側から剥がせばよいのかが瞬時にはわかりにくい問題がある。
【０００５】
よって、本発明は、上述した従来技術の欠点、不都合、不満を解消するべく開発された付箋であって、一枚ずつを付箋積層体から剥がそうとする使用開始時において、どちら側が粘着部になっていて、どちら側から剥がせばよいかをわかりやすくすると同時に、装飾性にも富み、タスクの文字によって付箋本体の美観を損なうようなこともなく、なおかつ、複数枚を貼着して使用する状態においても見栄えの良い、使用者の遊び心をくすぐる面白みのある付箋及びその使用方法を提供することを目的とする。
【課題を解決するための手段】
【０００６】
請求項１に記載の付箋によれば、鯉のぼりの鯉をモチーフにした、やること（TO DO）を管理するための付箋であって、鯉のぼりの鯉に見立てた形状からなる用紙の少なくとも表面に鯉の絵柄が施され、かつ、前記用紙の該形状と絵柄により鯉のぼりの鯉の頭部を表す側の、用紙裏面の一端部に再貼着再剥離可能な粘着部を設けてなることを特徴とするものである。
【０００７】
請求項２に記載の付箋によれば、前記請求項１に記載の付箋において、前記用紙の表面に施された鯉の絵柄のうち、少なくとも胴体部分が淡色で構成されていることを特徴とするものである。
【０００８】
請求項３に記載の付箋の使用方法によれば、前記請求項１または２に記載の付箋を使用する付箋の使用方法において、鯉の斑点模様に見立てるために、タスクの文字を模様の一部として前記用紙の表面に施された鯉の絵柄の中に記入するようになっていることを特徴とする。
【０００９】
請求項４に記載の付箋の使用方法によれば、前記請求項３に記載の付箋の使用方法において、前記用紙の該形状と絵柄により鯉のぼりの鯉の頭部を表す側の、用紙裏面の一端部に設けられた再貼着再剥離可能な粘着部により、垂直方向か、或いは、ほぼ垂直方向に伸びる面や物に、それら被貼着物を鯉のぼりのポールに見立てて、胴体から尾びれにかけては空間にはみ出すように貼着し、かつ、該付箋に色違いやサイズ違いの種類を設け、タスクを記入した状態のそれらを混ぜて複数枚を、まるで鯉のぼりの鯉が風になびいているかのように見えるが如きに、相互に重ならないように縦に並べて貼着して使用することを特徴とする。
【発明の効果】
【００１０】
従って、本発明の付箋とその使用方法によれば、タスクの記入状態において、タスクごとに異なる字面が略斑点模様として鯉の絵柄の中に溶け込み趣のある美観を醸し出すとともに、該付箋に色違いやサイズ違いの種類を設け、タスクを記入した状態のそれらを混ぜて複数枚を垂直方向か、或いは、ほぼ垂直方向に伸びる面や物に縦に並べて貼着して使用することで、それら被貼着物が鯉のぼりのポールとなって、まるで鯉のぼりの鯉が大空を遊泳しているかの如く、華やかで見栄えのよい美観を付与することができ、風情が感じられるとともに面白味のあるものになる。
【００１１】
また、その使用方法から、鯉のぼりの鯉に見立てた用紙の形状と用紙表面に施された鯉の絵柄が目印となって、鯉のぼりの鯉の頭側の端部が粘着部側で、尾びれ側の端部が剥がす側であることが瞬時にわかるので、一枚ずつを付箋積層体から剥がそうとする使用開始時において、極めて扱いやすい等、多くの優れた作用、効果を奏する。
【図面の簡単な説明】
【００１２】
【図１】本発明の実施形態１の付箋を示す図で、Aは正面斜視図、Bは背面斜視図。
【図２】同実施形態１の付箋の正面図。
【図３】同実施形態１の付箋の背面図。
【図４】同実施形態１の付箋の積層状態を示す斜視図。
【図５】同実施形態１の付箋にタスクを記入した使用状態を示す正面図。
【図６】タスクを記入した同実施形態１の付箋を被貼着物に貼着した使用状態を示す        正面図。
【発明を実施するための最良の形態】
【００１３】
次に、本発明を実施するための形態について、図１から図４を参照しながら具体的に説明する。
【００１４】
図１は、本発明の実施形態１の付箋１を示す図であり、Aは正面斜視図、Bは背面斜視図である。実施形態１の付箋１は、図１Aと図２に示すように鯉のぼりの鯉に見立てた形状の用紙の表面に印刷により鯉の絵柄２が施されているとともに、図１Bと図３に示すように、前記用紙の該形状と前記用紙表面に施された絵柄２により鯉のぼりの鯉の頭部を表す側の、用紙裏面の一端部に再貼着再剥離可能な粘着部３を設けてなる構成である。
【００１５】
前記用紙裏面に設けられる粘着部は、前記用紙の該形状と前記用紙表面に施された絵柄により鯉のぼりの鯉の頭部を表す側の、用紙裏面の一端部に設けられていれば良く、実施形態１では、鯉のぼりの鯉に見立てた用紙の形状と用紙表面に施された鯉の絵柄２により、鯉のぼりの鯉の頭部が用紙表面から見ると左側になっているので、用紙表面から見て左側の裏面の一端部が粘着部になるが、他の実施形態として、鯉のぼりの鯉に見立てた用紙の形状と用紙表面に施される鯉の絵柄を用紙表面から見た時に、鯉のぼりの鯉の頭部が右側になるようにし、用紙表面から見て右側の裏面の一端部が粘着部になるようにしてもよい。
【００１６】
また、本発明の付箋１は、用紙表面に施された鯉の絵柄の中にタスクを記入して使用することから、記入する文字が見やすいように少なくとも胴体部分の絵柄は淡色で構成されていることが好ましい。
【００１７】
なお、これらの付箋は、通常、図４に示されるように、複数枚が積層された付箋積層体４の状態で台紙に貼着されて固定されている。
【００１８】
次に、実施形態１における付箋１の使用方法について、図１から図６を参照しながら説明する。
【００１９】
実施形態１の付箋１の使用にあたっては、使用する付箋１を付箋積層体４からまず剥がしてから、用紙表面に施された鯉の絵柄２の中の胴体部分に、図５に示すように１枚につき１タスクの要領でタスクの文字５を記入した後、前記用紙の該形状と絵柄２により鯉のぼりの鯉の頭部を表す側の、用紙裏面の一端部に設けられた粘着部３により、垂直方向か、或いは、ほぼ垂直方向に伸びる面（パソコンのモニタの縁など）や物に、図６に示すように、それら被貼着物を鯉のぼりのポールに見立てて、胴体から尾びれにかけては空間にはみ出すように貼着し、かつ、該付箋１に色違いやサイズ違いの種類を設けて、例えば、タスクの種類を「仕事」と「プライベート」といった具合に分けて、タスクの種類によって使用する該付箋１の色を使い分け、さらに、同じタスクの種類で同じ色の該付箋１を使うでも、「今日やること」は大きいサイズの該付箋１を使い、「明日でもいいこと」は小さいサイズの該付箋１を使うといった具合にして該付箋１のサイズを使い分け、１枚につき１タスクを記入した状態のそれらを混ぜて複数枚を、まるで鯉のぼりの鯉が風になびいているかのように見えるが如きに、相互に重ならないように上から優先するタスクの順に縦に並べて貼着して使用する。
【００２０】
なお、一枚ずつを付箋積層体４から剥がそうとする使用開始時においては、その使用方法から、鯉のぼりの鯉に見立てた用紙の形状と用紙表面に施された鯉の絵柄２が目印となって、鯉のぼりの鯉の頭側の端部が粘着部側で、尾びれ側の端部が剥がす側であることが容易に判断できる。
【００２１】
また、タスクの記入にあたっては、鯉の種類によっては斑点模様のあるものもあることから、そのそれぞれで異なる鯉の趣のある斑点模様に見立てるために、図５に示すように前記用紙表面に施された鯉の絵柄２の中に、タスクごとに異なる字面を模様の一部としてタスクの文字５を記入するようになっている。
【００２２】
なお、実際の鯉のぼりの鯉が色や模様などを厳密に実物の鯉に似せているわけではないことから、本発明の付箋において略斑点模様に見立てる文字の色も記入したタスクが見やすければ黒に限定されず、文字の色が映えるようになど、使用者が自由に選択可能である。
【００２３】
なお、本発明を前記実施形態により説明したが、本発明はこれらの実施形態に何ら限定されるものではなく、特許請求の範囲に記載されている事項の範囲内で考えられるその他の実施の形態や変形例も含むものである。
【産業上の利用可能性】
【００２４】
以上のように、本発明に係る付箋及びその使用方法は、鯉のぼりの鯉をモチーフにした付箋であって、鯉のぼりの鯉に見立てた形状からなる用紙の少なくとも表面に鯉の絵柄が施され、かつ、前記用紙の該形状と絵柄により鯉のぼりの鯉の頭部を表す側の、用紙裏面の一端部に再貼着再剥離可能な粘着部を設けてなることを特徴とする付箋に、色違いやサイズ違いの種類を設けて、そのそれぞれにおいて、鯉の斑点模様に見立てるために、前記用紙表面に施された鯉の絵柄の中に字面を模様の一部として文字を記入し、それらを混ぜて複数枚を垂直方向か、或いは、ほぼ垂直方向に伸びる面や物に、被貼着物を鯉のぼりのポールに見立てて、胴体から尾びれにかけては空間にはみ出すように貼着し、まるで鯉のぼりの鯉が風になびいているかのように見えるが如きに、相互に重ならないように縦に並べて貼着して使用する使用方法であることから、被貼着物に華やかな美観を付与することができる優れた効果を有するとともに、１枚につき１タスクを書いて上から順に優先順位を示すのにも有用であるため、見栄えよく、やること（TO DO）を管理するための付箋に適している。
【符号の説明】
【００２５】
１    付箋
２    用紙に施される鯉の絵柄
３    粘着部
４    付箋積層体
５    タスクの文字
２１    パソコンのモニタ
【図１】
2014217969.tif 000003
【図２】
2014217969.tif 000004
【図３】
2014217969.tif 000005
【図４】
2014217969.tif 000006
【図５】
2014217969.tif 000007
【図６】
2014217969.tif 000008
【手続補正書】
【提出日】平成25年5月8日(2013.5.8)
【手続補正１】
【補正対象書類名】図面
【補正対象項目名】図６
【補正方法】変更
【補正の内容】
【図６】
2014217969.tif 000009